(57)【要約】【課題】側部ポケットの側壁部の剛性を高め、排泄物の重量による側壁部の変形を抑制する。【解決手段】吸収性物品１では、前部吸収コア、一対の側部吸収コア２２２および後部吸収コアとバックシート部材２３とのそれぞれの間に、開口２５を通過した排泄物が収容される前部ポケット、一対の側部ポケット２８および後部ポケットが形成される。吸収性物品１では、側部吸収コア２２２が起立ギャザー部３４１の内面に接合されるため、起立ギャザー部３４１が起立することにより、側部吸収コア２２２がバックシート部材２３から大きく離間する。側部ポケット２８の側壁部２８１は、サイドシート３や外装シート２３１の内側に側部吸収コア２２２が接合された構造とされる。このため、側部ポケット２８の側壁部２８１の剛性を高くすることができる。これにより、側部ポケット２８に収容された排泄物の重量による側壁部２８１の変形を抑制することができる。【選択図】図３
2011224081.tif 000002
【特許請求の範囲】
【請求項１】
着用者からの排泄物を受ける吸収性物品であって、
バックシート部材と、
前記バックシート部材上に重ねられて前記バックシート部材に外縁部が接合され、前記バックシート部材が露出する開口を着用者の股間部に対向する位置に有する吸収性シート部材と、
前記吸収性シート部材の左右両側部上において長手方向に伸び、起立ギャザー弾性部材が長手方向に沿ってそれぞれ接合される一対の起立ギャザー部と、
を備え、
前記吸収性シート部材が、
前記着用者の前側および後側の一方に配置される第１吸収コアと、
前記開口の左右方向の両側に配置される一対の第２吸収コアと、
前記第１吸収コアおよび前記一対の第２吸収コアを被覆する透液性のコア被覆シートと、
を備え、
前記第１吸収コアと前記バックシート部材との間に前記開口から前記長手方向に広がる主ポケットが形成され、前記一対の第２吸収コアと前記バックシート部材との間に前記開口から前記左右方向に広がる一対の側部ポケットが形成され、前記一対の第２吸収コアが前記一対の起立ギャザー部に前記コア被覆シートを介して接合されることを特徴とする吸収性物品。
【請求項２】
請求項１に記載の吸収性物品であって、
前記吸収性シート部材が、前記一対の第２吸収コアの前記バックシート部材に対向する面に前記長手方向に沿って配置されて前記一対の第２吸収コアに収縮力を作用させる一対の第２吸収コア弾性部材をさらに備えることを特徴とする吸収性物品。
【請求項３】
請求項１または２に記載の吸収性物品であって、
前記一対の起立ギャザー部の自由端が、前記一対の起立ギャザー部と前記一対の第２吸収コアとの接合領域から離間しており、前記起立ギャザー部弾性部材が前記自由端と前記接合領域との間に配置され、
前記一対の起立ギャザー部のそれぞれに、前記長手方向に沿って前記接合領域と重なりつつ他の起立ギャザー部弾性部材が接合されることを特徴とする吸収性物品。
【請求項４】
請求項１または２に記載の吸収性物品であって、
前記一対の起立ギャザー部の自由端が、前記一対の起立ギャザー部と前記一対の第２吸収コアとの接合領域から離間しており、前記一対の起立ギャザー部が、前記自由端と前記接合領域との間にて前記長手方向に伸びる折り返し線にて前記左右方向の外側に折り返されており、前記起立ギャザー部弾性部材が、前記一対の起立ギャザー部のそれぞれの前記自由端と前記折り返し線との間に配置されることを特徴とする吸収性物品。
【請求項５】
請求項１ないし４のいずれかに記載の吸収性物品であって、
前記第１吸収コアの前記開口近傍または前記開口に接するコアエッジが、前記左右方向の中央にて前記長手方向に凹状となる凹状部を有することを特徴とする吸収性物品。
【請求項６】
請求項１ないし５のいずれかに記載の吸収性物品であって、
前記吸収性シート部材が、前記左右方向の中央領域において前記長手方向に沿って前記第１吸収コアに接合されて前記第１吸収コアに収縮力を作用させる第１吸収コア弾性部材をさらに備えることを特徴とする吸収性物品。
【請求項７】
請求項６に記載の吸収性物品であって、
前記第１吸収コアが、前記中央領域において前記第１吸収コア弾性部材に重なる弱化線を有することを特徴とする吸収性物品。
【請求項８】
請求項１ないし７のいずれかに記載の吸収性物品であって、
前記第１吸収コアと前記一対の第２吸収コアとが前記長手方向に連続して一体的に形成されることを特徴とする吸収性物品。
【請求項９】
請求項１ないし８のいずれかに記載の吸収性物品であって、
前記第１吸収コアが、前記着用者の前側に配置される前部吸収コアであることを特徴とする吸収性物品。
【請求項１０】
請求項１ないし９のいずれかに記載の吸収性物品であって、
前記吸収性シート部材が、前記着用者の前側および後側の他方に配置される第３吸収コアをさらに備え、
前記第３吸収コアと前記バックシート部材との間にもう１つのポケットが形成されることを特徴とする吸収性物品。
【請求項１１】
請求項１ないし１０のいずれかに記載の吸収性物品であって、
着用者が着用する外装物品の内側に取り付けられる補助吸収具であることを特徴とする吸収性物品。
【発明の詳細な説明】
【技術分野】
【０００１】
本発明は、着用者からの排泄物を受ける吸収性物品に関する。
【背景技術】
【０００２】
従来より、使い捨ておむつ等の吸収性物品では、水分を多く含む軟便が排泄された場合に、軟便が着用者と吸収性物品との間で広がって着用者の肌に広範囲に亘って付着することを防止するため、様々な提案が行われている。
【０００３】
例えば、特許文献１の使い捨ておむつでは、およそ全長に亘る第１コアの前方部上に第２コアが設けられ、第１コアと第２コアとの間の空間が排泄物を収容するポケットとされる。特許文献１の使い捨ておむつでは、第２コアの前端が第１コア上に固定され、第２コアの両側部と股下域側の遊離端部との交差部位が防漏カフの自由縁部に連結されており、防漏カフが起立することにより、第２コアの遊離端部が第１コアから離間してポケットの開口が形成される。
【先行技術文献】
【特許文献】
【０００４】
【特許文献１】特開２００２−２０９９４１号公報
【発明の概要】
【発明が解決しようとする課題】
【０００５】
ところで、特許文献１の使い捨ておむつでは、薄い不織布製の防漏カフによりポケットの側壁部が構成されるため、ポケットの側壁部の剛性が不足し、ポケット内に収容された大便の重量を支えることができない。このため、大便の重量により防漏カフの起立が阻害され、使い捨ておむつの側部からの尿等の漏出（いわゆる、横漏れ）が生じるおそれがある。
【０００６】
本発明は、上記課題に鑑みなされたものであり、側部ポケットの側壁部の剛性を高め、排泄物の重量による側壁部の変形を抑制することを目的としている。
【課題を解決するための手段】
【０００７】
請求項１に記載の発明は、着用者からの排泄物を受ける吸収性物品であって、バックシート部材と、前記バックシート部材上に重ねられて前記バックシート部材に外縁部が接合され、前記バックシート部材が露出する開口を着用者の股間部に対向する位置に有する吸収性シート部材と、前記吸収性シート部材の左右両側部上において長手方向に伸び、起立ギャザー弾性部材が長手方向に沿ってそれぞれ接合される一対の起立ギャザー部とを備え、前記吸収性シート部材が、前記着用者の前側および後側の一方に配置される第１吸収コアと、前記開口の左右方向の両側に配置される一対の第２吸収コアと、前記第１吸収コアおよび前記一対の第２吸収コアを被覆する透液性のコア被覆シートとを備え、前記第１吸収コアと前記バックシート部材との間に前記開口から前記長手方向に広がる主ポケットが形成され、前記一対の第２吸収コアと前記バックシート部材との間に前記開口から前記左右方向に広がる一対の側部ポケットが形成され、前記一対の第２吸収コアが前記一対の起立ギャザー部に前記コア被覆シートを介して接合される。
【０００８】
請求項２に記載の発明は、請求項１に記載の吸収性物品であって、前記吸収性シート部材が、前記一対の第２吸収コアの前記バックシート部材に対向する面に前記長手方向に沿って配置されて前記一対の第２吸収コアに収縮力を作用させる一対の第２吸収コア弾性部材をさらに備える。
【０００９】
請求項３に記載の発明は、請求項１または２に記載の吸収性物品であって、前記一対の起立ギャザー部の自由端が、前記一対の起立ギャザー部と前記一対の第２吸収コアとの接合領域から離間しており、前記起立ギャザー部弾性部材が前記自由端と前記接合領域との間に配置され、前記一対の起立ギャザー部のそれぞれに、前記長手方向に沿って前記接合領域と重なりつつ他の起立ギャザー部弾性部材が接合される。
【００１０】
請求項４に記載の発明は、請求項１または２に記載の吸収性物品であって、前記一対の起立ギャザー部の自由端が、前記一対の起立ギャザー部と前記一対の第２吸収コアとの接合領域から離間しており、前記一対の起立ギャザー部が、前記自由端と前記接合領域との間にて前記長手方向に伸びる折り返し線にて前記左右方向の外側に折り返されており、前記起立ギャザー部弾性部材が、前記一対の起立ギャザー部のそれぞれの前記自由端と前記折り返し線との間に配置される。
【００１１】
請求項５に記載の発明は、請求項１ないし４のいずれかに記載の吸収性物品であって、前記第１吸収コアの前記開口近傍または前記開口に接するコアエッジが、前記左右方向の中央にて前記長手方向に凹状となる凹状部を有する。
【００１２】
請求項６に記載の発明は、請求項１ないし５のいずれかに記載の吸収性物品であって、前記吸収性シート部材が、前記左右方向の中央領域において前記長手方向に沿って前記第１吸収コアに接合されて前記第１吸収コアに収縮力を作用させる第１吸収コア弾性部材をさらに備える。
【００１３】
請求項７に記載の発明は、請求項６に記載の吸収性物品であって、前記第１吸収コアが、前記中央領域において前記第１吸収コア弾性部材に重なる弱化線を有する。
【００１４】
請求項８に記載の発明は、請求項１ないし７のいずれかに記載の吸収性物品であって、前記第１吸収コアと前記一対の第２吸収コアとが前記長手方向に連続して一体的に形成される。
【００１５】
請求項９に記載の発明は、請求項１ないし８のいずれかに記載の吸収性物品であって、前記第１吸収コアが、前記着用者の前側に配置される前部吸収コアである。
【００１６】
請求項１０に記載の発明は、請求項１ないし９のいずれかに記載の吸収性物品であって、前記吸収性シート部材が、前記着用者の前側および後側の他方に配置される第３吸収コアをさらに備え、前記第３吸収コアと前記バックシート部材との間にもう１つのポケットが形成される。
【００１７】
請求項１１に記載の発明は、請求項１ないし１０のいずれかに記載の吸収性物品であって、着用者が着用する外装物品の内側に取り付けられる補助吸収具である。
【発明の効果】
【００１８】
本発明では、側部ポケットの側壁部の剛性を高め、排泄物の重量による側壁部の変形を抑制することができる。
【図面の簡単な説明】
【００１９】
【図１】吸収性物品の平面図である。
【図２】吸収性物品の断面図である。
【図３】吸収性物品の断面図である。
【図４】吸収性物品の断面図である。
【発明を実施するための形態】
【００２０】
図１は、本発明の一の実施の形態に係る吸収性物品１を長手方向（すなわち、図１中の上下方向）に広げた状態にて示す平面図である。吸収性物品１は、着用者が着用する外装物品である使い捨ておむつ等の内側に取り付けられ、着用者からの軟便等の排泄物を受ける補助吸収具である。図１では、着用者に接する面（すなわち、着用者側）を手前側にして吸収性物品１を描いている。
【００２１】
図１に示すように、吸収性物品１は、平面視において略矩形状である略シート状の本体部２、および、本体部２の長手方向に垂直な左右方向（本体部２の幅方向であり、図１中の左右方向に一致する。）の両側において長手方向のおよそ全長に亘って設けられた一対のサイドシート３を備える。
【００２２】
本体部２の図１中における上側の部位２０１および下側の部位２０３はそれぞれ、着用者の腹側および背側の肌に接する部位であり、以下の説明では、「前方部２０１」および「後方部２０３」と呼ぶ。また、前方部２０１と後方部２０３との間において前方部２０１および後方部２０３から連続するとともに着用者の股間部に対向する部位２０２を「中間部２０２」と呼ぶ。
【００２３】
図２および図３はそれぞれ、吸収性物品１を、図１中に示すＡ−Ａの位置、および、Ｂ−Ｂの位置にて、吸収性物品１の長手方向（すなわち、図１中の上下方向）に垂直な面で切断した断面図であり、図４は、吸収性物品１をＣ−Ｃの位置にて吸収性物品１の左右方向に垂直な面で切断した断面図である。なお、吸収性物品１では、後方部２０３の構造は前方部２０１の構造とほぼ同様であり、後方部２０３の長手方向に垂直な断面図は図２と同様である。
【００２４】
図１ないし図３に示すように、一対のサイドシート３はそれぞれ、本体部２の左右両側部上に接合される帯状の固定部３３、固定部３３に連続するとともに少なくとも一部が起立するギャザー部３４、および、ギャザー部３４に長手方向に沿って接合される複数の起立ギャザー部弾性部材３２ａ〜３２ｃを備える。サイドシート３は、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ（スパンボンド・メルトブロー・スパンボンド）不織布）を、長手方向に伸びる折り曲げ線にて２つ折りにし、折り重ねられた２つの部位の間に起立ギャザー部弾性部材３２ａ〜３２ｃを挟むことにより形成される。起立ギャザー部弾性部材３２ａ〜３２ｃとしては、例えば、ポリウレタン糸、帯状のポリウレタンフィルム、糸状または帯状の天然ゴム等が用いられ、本実施の形態ではポリウレタン糸が利用される。
【００２５】
ギャザー部３４は、長手方向の両端部にて本体部２上に接合される。吸収性物品１では、起立ギャザー部弾性部材３２ａ〜３２ｃが収縮することにより、ギャザー部３４の長手方向の両端部を除く部位３４１（以下、「起立ギャザー部３４１」という。）が、図２および図３に示すように、本体部２の側方において着用者側に向かって起立し、着用時に着用者の足の付け根近傍に当接する立体ギャザーが形成される。また、起立ギャザー部３４１が、長手方向に伸びる折り返し線３４２にて左右方向の外側へと広がるように折り返されることにより、立体ギャザーの自由端３４３（すなわち、着用者側の端部）側の部位が着用者の肌の広い範囲に亘って密着する。
【００２６】
図３に示すように、起立ギャザー部３４１には、自由端３４３から離間した位置に後述する側部吸収コア２２２が接合されており、起立ギャザー部弾性部材３２ｃは、起立ギャザー部３４１と側部吸収コア２２２との接合領域３４４に重なる。起立ギャザー部３４１の折り返し線３４２は、自由端３４３と接合領域３４４との間に位置し、起立ギャザー部弾性部材３２ａ，３２ｂは、起立ギャザー部３４１の自由端３４３と折り返し線３４２との間に配置される。起立ギャザー部弾性部材３２ａ，３２ｂは、自由端３４３と折り返し線３４２との間に配置されるのであれば、自由端３４３において自由端３４３に沿って配置されてもよく、折り返し線３４２上において折り返し線３４２に沿って配置されてもよい。本実施の形態では、起立ギャザー部弾性部材３２ａ，３２ｂはそれぞれ、起立ギャザー部３４１の自由端３４３および折り返し線３４２上に配置される。起立ギャザー部３４１が折り返し線３４２にて折り返されない場合には、起立ギャザー部弾性部材３２ａ，３２ｂは、起立ギャザー部３４１の自由端３４３と接合領域３４４との間に配置される（上記と同様に、自由端３４３に配置される場合も含む。）。
【００２７】
図１ないし図４に示すように、本体部２は、バックシート部材２３、および、バックシート部材２３上（すなわち、バックシート部材２３の着用者側）に重ねられて外縁部がバックシート部材２３に接合される吸収性シート部材２０を備える。図１および図３に示すように、吸収性シート部材２０の長手方向の中央よりも後側（すなわち、図１中の下側）には、着用者の股間部に対向する位置に開口２５が形成されており、開口２５の幅は、吸収性物品１の幅よりも小さい。バックシート部材２３は、吸収性シート部材２０の開口２５から露出して着用者の股間部に直接対向する露出領域２３４を有する。開口２５の左右両側では、一対の起立ギャザー部３４１が吸収性シート部材２０の左右両側部上において長手方向に伸びる。
【００２８】
吸収性シート部材２０は、図１に示すように、吸収性物品１の着用時に着用者の前側（腹側）に配置される前部吸収コア２２１、開口２５の左右方向の両側に配置される一対の側部吸収コア２２２、および、着用者の後側に配置される後部吸収コア２２３を備える。前部吸収コア２２１の長手方向の長さは、後部吸収コア２２３の長手方向の長さよりも大きい。前部吸収コア２２１、一対の側部吸収コア２２２および後部吸収コア２２３は、吸収性シート部材２０の長手方向（バックシート部材２３の長手方向でもある。）に連続して一体的に形成されており、以下の説明では、前部吸収コア２２１、一対の側部吸収コア２２２および後部吸収コア２２３をまとめて、「吸収コア２２」ともいう。図１中では、図の理解を容易にするために、吸収コア２２の輪郭を太い破線にて描く。
【００２９】
吸収性シート部材２０は、また、図２ないし図４に示すように、吸収コア２２のそれぞれの上面および下面（すなわち、前部吸収コア２２１、側部吸収コア２２２および後部吸収コア２２３のそれぞれの着用者側およびバックシート部材２３側）を被覆する透液性のコア被覆シート２１を備える。コア被覆シート２１は、吸収コア２２の上面を覆う第１被覆シート２１１、および、吸収コア２２の下面を覆う第２被覆シート２１２を備える。
【００３０】
吸収コア２２は、粉砕したパルプ繊維やセルロース繊維等の親水性繊維に粒状の吸水性ポリマー（例えば、ＳＡＰ（Super Absorbent Polymer））を混合したものをティッシュペーパーや透液性不織布等により包み込んで形成され、コア被覆シート２１を透過した水分を吸収して迅速に固定する。親水性繊維を包むティッシュペーパーや透液性不織布等は、親水性繊維および吸水性ポリマーとホットメルト接着剤により接合されて、親水性繊維の型崩れ、および、吸水性ポリマーの脱落（特に、吸水後における脱落）を防止する。本実施の形態では、吸収コア２２はパルプ繊維およびＳＡＰを含む。
【００３１】
コア被覆シート２１は、透液性のシート材料であり、着用者からの排泄物の水分を速やかに捕捉して吸収コア２２へと移動させる。コア被覆シート２１としては、例えば、表面を界面活性剤により親水処理した疎水性繊維（ポリプロピレン、ポリエチレン、ポリエステル、ポリアミド、ナイロン等）にて形成された透液性の不織布（ポイントボンド不織布やエアスルー不織布、スパンボンド不織布等）が利用される。なお、コア被覆シート２１として、セルロースやレーヨン、コットン等の親水性繊維により形成された不織布（例えば、スパンレース不織布）が利用されてもよい。
【００３２】
図１に示すように、前部吸収コア２２１の開口２５近傍のコアエッジ２２１１、および、開口２５の前部吸収コア２２１側の前部エッジ２５２は、左右方向の中央にて長手方向に凹状となる（すなわち、後部吸収コア２２３から離れる方向に凹状となる）凹状部を有する。また、後部吸収コア２２３の開口２５近傍のコアエッジ２２３１、および、開口２５の後部吸収コア２２３側の後部エッジ２５３も、左右方向の中央にて長手方向に凹状となる（すなわち、前部吸収コア２２１から離れる方向に凹状となる）凹状部を有する。なお、前部吸収コア２２１のコアエッジ２２１１、および、後部吸収コア２２３のコアエッジ２２３１はそれぞれ、開口２５の前部エッジ２５２および後部エッジ２５３に重なっていてもよい。換言すれば、前部吸収コア２２１のコアエッジ２２１１、および、後部吸収コア２２３のコアエッジ２２３１は開口２５に接していてもよい。
【００３３】
吸収性シート部材２０は、左右方向の中央領域において長手方向に沿って前部吸収コア２２１に接合される前部吸収コア弾性部材２４１、および、当該中央領域において長手方向に沿って後部吸収コア２２３に接合される後部吸収コア弾性部材２４３を備える。吸収性シート部材２０では、前部吸収コア弾性部材２４１が収縮することにより前部吸収コア２２１に長手方向の収縮力が作用し、後部吸収コア弾性部材２４３が収縮することにより後部吸収コア２２３に長手方向の収縮力が作用する。
【００３４】
前部吸収コア２２１には、上記中央領域においてコアエッジ２２１１から長手方向に沿って伸びるスリット２２１２（すなわち、前部吸収コア２２１においてパルプ繊維やＳＡＰが存在しない領域）が形成されており、スリット２２１２は前部吸収コア弾性部材２４１に重なる。したがって、前部吸収コア弾性部材２４１は、正確には、前部吸収コア２２１が設けられる領域において、前部吸収コア２２１の上面および下面を被覆する第１被覆シート２１１および第２被覆シート２１２に接合される（図２参照）。後部吸収コア２２３には、上記中央領域においてコアエッジ２２３１から長手方向に沿って伸びるスリット２２３２が形成されており、スリット２２３２は後部吸収コア弾性部材２４３に重なる。したがって、後部吸収コア弾性部材２４３は、正確には、後部吸収コア２２３が設けられる領域において、後部吸収コア２２３の上面および下面を被覆する第１被覆シート２１１および第２被覆シート２１２に接合される。
【００３５】
前部吸収コア２２１および後部吸収コア２２３では、スリット２２１２，２２３２が、周囲の部位よりも剛性が低い弱化線として設けられるが、スリット２２１２，２２３２に代えて、周囲の部位よりもパルプ繊維等の厚さが薄い、あるいは、パルプ繊維等の密度が低い弱化線が、前部吸収コア弾性部材２４１および後部吸収コア弾性部材２４３に重ねて設けられてもよい。
【００３６】
吸収性シート部材２０は、また、図１および図３に示すように、開口２５の左右方向の両側に長手方向に沿って配置される二対の（すなわち、左右２本ずつの）側部吸収コア弾性部材２４２を備える。側部吸収コア弾性部材２４２としては、例えば、ポリウレタン糸、帯状のポリウレタンフィルム、糸状または帯状の天然ゴム等が用いられ、本実施の形態では、ポリウレタン糸が使用される。
【００３７】
二対の側部吸収コア弾性部材２４２は、平面視において一対の側部吸収コア２２２に重なっており、側部吸収コア２２２のバックシート部材２３に対向する面に配置される。本実施の形態では、各側部吸収コア弾性部材２４２は、側部吸収コア２２２とコア被覆シート２１の第２被覆シート２１２との間に配置され、側部吸収コア２２２および第２被覆シート２１２に伸張状態にて接合されて側部吸収コア２２２に収縮力を収縮させる。側部吸収コア弾性部材２４２の長手方向の前側の部位は前部吸収コア２２１に重なっており、後側の部位は後部吸収コア２２３に重なっている。
【００３８】
バックシート部材２３は、図２ないし図４に示すように、撥水性または不透液性の外装シート２３１、外装シート２３１上（すなわち、外装シート２３１の着用者側）に設けられた非常に薄い吸収シート２３３、並びに、外装シート２３１および吸収シート２３３上に積層された親水性シート２３２を備える。図２ないし図４では、図示の都合上、吸収シート２３３を太実線にて示している。
【００３９】
外装シート２３１としては、疎水性繊維（例えば、ポリプロピレン、ポリエチレン、ポリエステル、ポリアミド、ナイロン）にて形成された撥水性または不透液性の不織布（例えば、スパンボンド不織布やメルトブロー不織布、ＳＭＳ不織布）や、撥水性または不透液性のプラスチックフィルム、あるいは、これらの不織布とプラスチックフィルムとが積層された積層シートが利用され、バックシート部材２３に到達した排泄物の水分等が、本体部２の外側にしみ出すのを防止する。外装シート２３１にプラスチックフィルムが利用される場合、吸収性物品１のムレを防止して着用者の快適性を向上するという観点からは、透湿性（通気性）を有するプラスチックフィルムが利用されることが好ましい。
【００４０】
吸収シート２３３は、２枚のシート、および、当該２枚のシートの間に設けられた高吸収性樹脂層を備え、高吸収性樹脂層は、ＳＡＰ等の粒状の吸水性ポリマーをホットメルト接着剤により２枚のシートに固定することにより形成される。２枚のシートとしては、親水性繊維により形成される不織布、親水処理した疎水性繊維により形成される不織布、あるいは、ティッシュ等が利用される。高吸収性樹脂層（すなわち、粒状の吸水性ポリマー）は、上記２枚のシートの間で長手方向に伸びるストライプ状に配置される。換言すれば、長手方向に伸びる複数の高吸収性樹脂層のそれぞれの間に、吸水性ポリマーが存在しない領域が設けられる。そして、吸水性ポリマーが存在しない領域において２枚のシートが接合されることにより、複数の高吸収性樹脂層がそれぞれ封止される。
【００４１】
なお、吸収シート２３３に代えて、ＳＡＰ等の粒状の吸水性ポリマーを外装シート２３１上に散布し、ホットメルト接着剤等により外装シート２３１に接着することにより、高吸収性樹脂層が外装シート２３１上に直接形成されてもよい。また、親水性シート２３２としては、好ましくは、セルロースやレーヨン、コットン等の親水性繊維により形成された不織布（例えば、スパンレース不織布）、あるいは、表面を界面活性剤により親水処理した疎水性繊維（例えば、ポリプロピレン、ポリエチレン、ポリエステル、ポリアミド、ナイロン）にて形成された透液性の不織布が利用される。
【００４２】
吸収性物品１では、上述のように、吸収性シート部材２０の外縁部がバックシート部材２３に接合され、吸収コア２２のバックシート部材２３と対向する面がバックシート部材２３と非接合とされる。これにより、図２および図４に示すように、前部吸収コア２２１とバックシート部材２３との間（すなわち、吸収性シート部材２０の前部吸収コア２２１に対応する部位とバックシート部材２３との間）に、開口２５から長手方向の前側に広がる前部ポケット２６が形成され、図３に示すように、一対の側部吸収コア２２２とバックシート部材２３との間に、開口２５から左右方向に広がる一対の側部ポケット２８が形成される。また、図４に示すように、前部ポケット２６と同様に、後部吸収コア２２３とバックシート部材２３との間に、開口２５から長手方向の後側に広がる後部ポケット２７が形成される。一対の側部ポケット２８は、前部ポケット２６および後部ポケット２７と連続している。
【００４３】
図１に示す吸収性物品１では、着用者から排泄された軟便等の排泄物が、開口２５を介してバックシート部材２３へと向かい、バックシート部材２３の露出領域２３４にて受けられる。露出領域２３４にて受けられた排泄物は、前部ポケット２６、側部ポケット２８および後部ポケット２７の内部空間へと移動して収容される。本実施の形態では、開口２５が吸収性シート部材２０の長手方向の中央よりも後側に設けられており、上述のように、前部吸収コア２２１が後部吸収コア２２３よりも長くなっている。このため、前部ポケット２６の長手方向の長さが後部ポケット２７の長手方向の長さよりも大きくなり、前部ポケット２６が、排泄物を主に収容する主ポケットとなる。
【００４４】
吸収性物品１では、上述のように、一対の側部吸収コア２２２が一対の起立ギャザー部３４１の内面（すなわち、バックシート部材２３と対向する面）にコア被覆シート２１を介して接合される（図３参照）。このため、一対の起立ギャザー部弾性部材３２ａ、および、もう一対の起立ギャザー部弾性部材３２ｂが収縮することにより、起立ギャザー部３４１が大きく起立するとともに側部吸収コア２２２がバックシート部材２３から大きく離間する。これにより、開口２５近傍における吸収性シート部材２０とバックシート部材２３との間の厚さ方向の距離を大きく維持することができる。その結果、吸収性物品１では、排泄物を前部ポケット２６、側部ポケット２８および後部ポケット２７に確実に収容して保持することができ、排泄物が着用者の肌に広範囲に亘って付着することが防止される。
【００４５】
また、図３に示すように、側部ポケット２８の側壁部２８１が、サイドシート３や外装シート２３１の内側に側部吸収コア２２２が接合された構造とされることにより、側部ポケット２８の側壁部２８１の剛性を高くすることができる。これにより、側部ポケット２８に収容された排泄物の重量による側壁部２８１の変形を抑制することができ、側壁部２８１の変形に起因する吸収性物品１の側方からの尿等の漏出（いわゆる、横漏れ）を抑制することができる。さらに、側部吸収コア２２２がパルプ繊維を含むことにより、側壁部２８１の剛性がより高くなる。開口２５の左右両側では、側壁部２８１の内面に側部吸収コア２２２による吸収性を付与することにより、尿等の横漏れをさらに抑制することができる。
【００４６】
このように、吸収性物品１は、着用者の肌の比較的狭い範囲のみを覆うにも拘わらず排泄物を確実に収容して保持することができるため、使い捨ておむつ等の外装物品の内側に取り付けられて容易に交換可能な補助吸収具に特に適している。
【００４７】
ところで、吸収性物品１の着用者は、仰臥位や側臥位または座位等の体位を取ることが多いため、着用者の前側には体圧がほとんど加わらない。吸収性物品１では、上述のように、着用者の前側に配置される前部吸収コア２２１とバックシート部材２３との間に形成された前部ポケット２６が、排泄物を主に収容する主ポケットとされる。したがって、吸収性物品１は、仰臥位や側臥位または座位等、様々な体位を取る着用者からの排泄物の収容に特に適しているといえる。
【００４８】
吸収性物品１では、長手方向に伸びる二対の側部吸収コア弾性部材２４２を一対の側部吸収コア２２２に重ねて配置することにより、側部ポケット２８の側壁部２８１の剛性をさらに高くして側壁部２８１の変形をより一層抑制することができる。また、これらの側部吸収コア弾性部材２４２により一対の側部吸収コア２２２に収縮力を作用させることにより、側部吸収コア２２２をバックシート部材２３からより大きく離間させることができる。さらに、側部吸収コア弾性部材２４２を側部吸収コア２２２のバックシート部材２３に対向する面に配置することにより、側部吸収コア２２２をバックシート部材２３からさらに大きく離間させることができる。なお、吸収性シート部材２０には一対の側部吸収コア弾性部材２４２のみが設けられてもよい。この場合、一対の側部吸収コア弾性部材２４２は、左右方向において開口２５近傍（すなわち、側部吸収コア２２２の左右方向の中央よりも開口２５に近い側）に配置されることが好ましく、これにより、側部ポケット２８の開口２５近傍の部位をバックシート部材２３からより大きく離間することができる。
【００４９】
一対の起立ギャザー部３４１では、上述のように、長手方向に伸びる一対の起立ギャザー部弾性部材３２ｃを、一対の起立ギャザー部３４１と一対の側部吸収コア２２２との接合領域３４４に重ねて配置することにより、側部ポケット２８の側壁部２８１の剛性をさらに高くして側壁部２８１の変形をより一層抑制することができる。また、これらの起立ギャザー部弾性部材３２ｃの収縮力により一対の起立ギャザー部３４１の起立を大きくし、側部吸収コア２２２をバックシート部材２３からより大きく離間させることができる。
【００５０】
吸収性物品１では、前部吸収コア２２１のコアエッジ２２１１、および、後部吸収コア２２３のコアエッジ２２３１が左右方向の中央にて長手方向に凹状となる凹状部を有することにより、左右方向の中央における開口２５の長手方向の大きさを大きく確保しつつ、側部ポケット２８の側壁部２８１の長手方向の長さを短くすることができる。これにより、側壁部２８１の剛性をさらに高めることができる。
【００５１】
また、前部吸収コア２２１および後部吸収コア２２３の左右方向の中央領域に、長手方向に伸びる前部吸収コア弾性部材２４１および後部吸収コア弾性部材２４３が接合されて前部吸収コア２２１および後部吸収コア２２３に収縮力を作用させることにより、前部吸収コア２２１および後部吸収コア２２３の中央領域がバックシート部材２３から大きく離間する。さらに、前部吸収コア２２１および後部吸収コア２２３の左右方向の中央領域に、前部吸収コア弾性部材２４１および後部吸収コア弾性部材２４３にそれぞれ重なるスリット２２１２，２２３２が設けられることにより、前部吸収コア２２１および後部吸収コア２２３が着用者側に凸状となるように変形しやすくなるため、前部吸収コア２２１および後部吸収コア２２３の中央領域がバックシート部材２３からより大きく離間する。その結果、前部ポケット２６および後部ポケット２７の収容力が増大する。
【００５２】
吸収性物品１では、上述のように、一対の側部吸収コア２２２が前部吸収コア２２１と長手方向に連続して一体的に形成されるため、起立ギャザー部３４１の起立により側部吸収コア２２２がバックシート部材２３から大きく離間する際に、前部吸収コア２２１の開口２５近傍の部位もバックシート部材２３から大きく離間する。また、一対の側部吸収コア２２２が後部吸収コア２２３とも長手方向に連続して一体的に形成されるため、起立ギャザー部３４１の起立により側部吸収コア２２２がバックシート部材２３から大きく離間する際に、後部吸収コア２２３の開口２５近傍の部位もバックシート部材２３から大きく離間する。その結果、前部ポケット２６および後部ポケット２７の収容力がより増大する。
【００５３】
以上、本発明の実施の形態について説明してきたが、本発明は上記実施の形態に限定されるものではなく、様々な変更が可能である。
【００５４】
例えば、吸収コア２２は必ずしもパルプ繊維を含む必要はなく、比較的厚く剛性が高い透液性の不織布やプラスチックフィルム上にホットメルト接着剤等によりＳＡＰが直接接合されたものが吸収コア２２として利用されてもよい。
【００５５】
吸収性物品１では、前部ポケット２６および後部ポケット２７の開口２５近傍の部位をバックシート部材２３から十分に離間させることができる場合は、例えば、前部吸収コア２２１、一対の側部吸収コア２２２および後部吸収コア２２３がそれぞれ個別に形成され、開口２５を形成するように隣接して配置されて（すなわち、コア被覆シート２１の開口の周囲に配置されて）コア被覆シート２１により被覆されてもよい。また、側部吸収コア２２２をバックシート部材２３から十分に離間させることができる場合は、例えば、側部吸収コア弾性部材２４２は側部吸収コア２２２の上側（着用者側）にて側部吸収コア２２２とコア被覆シート２１の第１被覆シート２１１との間に接合されてもよい。
【００５６】
吸収性物品１では、排泄物の収容力を大きくするためには、吸収性シート部材２０とバックシート部材２３との間に前部ポケット２６、側部ポケット２８および後部ポケット２７が設けられることが好ましい。ただし、排泄物の収容力が十分確保されるのであれば、主ポケットである前部ポケット２６、および、一対の側部ポケット２８のみが吸収性シート部材２０とバックシート部材２３との間に設けられ、後部ポケット２７は省略されてもよい。後部ポケット２７が設けられない場合、吸収性シート部材２０の開口２５よりも後側の部位は、およそ全面に亘ってバックシート部材２３に接合される。なお、この場合、吸収性シート部材２０から後部吸収コア２２３が省略されてもよい。
【００５７】
一方、吸収性物品１が、腹臥位等、前側に体圧が加わりやすい体位を取ることが多い着用者に使用される場合、後部吸収コア２２３とバックシート部材２３との間に形成される後部ポケット２７が主ポケットとされてもよい。後部ポケット２７が主ポケットとされる場合、前部ポケット２６や前部吸収コア２２１は省略されてもよい。
【００５８】
換言すれば、吸収コア２２のうち、着用者の前側および後側の一方に配置されてバックシート部材２３との間で主ポケットを形成する部位を第１吸収コアと呼び、バックシート部材２３との間で一対の側部ポケット２８を形成する一対の側部吸収コア２２２を一対の第２吸収コアと呼び、着用者の前側および後側の他方に配置されて主ポケットおよび側部ポケット２８ではない体圧が加わるもう１つのポケットをバックシート部材２３との間に形成する部位を第３吸収コアと呼ぶと、吸収性物品１では、第３吸収コアおよび第３吸収コアとバックシート部材２３との間のポケットは省略されてもよい。
【００５９】
吸収性シート部材２０では、コア被覆シート２１は１枚のシート部材であってもよく、この場合、当該シート部材の吸収コア２２の着用者側を覆う部位が第１被覆シート２１１に相当し、吸収コア２２のバックシート部材２３側を覆う部位が第２被覆シート２１２に相当する。また、コア被覆シート２１は、少なくとも吸収コア２２の着用者側を覆っていればよい。
【００６０】
バックシート部材２３は、少なくとも撥水性または不透液性の外装シート２３１を備えていればよく、親水性シート２３２および吸収シート２３３のいずれか一方または両方が省略されてもよい。
【００６１】
上述の吸収性物品の構造は、外装物品の内側に取り付けられる補助吸収具以外にも、例えば、上端に胴部開口を有し、下部に一対の脚部開口を有するパンツタイプの使い捨ておむつや、着用者の腹側に当接する部位と背側に当接する部位とを腰回りで止着して着用するオープンタイプの使い捨ておむつに適用されてよい。
【符号の説明】
【００６２】
１  吸収性物品
２０  吸収性シート部材
２１  コア被覆シート
２３  バックシート部材
２５  開口
２６  前部ポケット
２７  後部ポケット
２８  側部ポケット
３２ａ〜３２ｃ  起立ギャザー部弾性部材
２２１  前部吸収コア
２２２  側部吸収コア
２２３  後部吸収コア
２４１  前部吸収コア弾性部材
２４２  側部吸収コア弾性部材
２４３  後部吸収コア弾性部材
３４１  起立ギャザー部
３４２  折り返し線
３４３  自由端
３４４  接合領域
２２１１，２２３１  コアエッジ
２２１２，２２３２  スリット
【図１】
2011224081.tif 000003
【図２】
2011224081.tif 000004
【図３】
2011224081.tif 000005
【図４】
2011224081.tif 000006